(57)【要約】【課題】積雪が予め想定した量を超えたときにも、雪庇を発生させない雪庇発生防止装置の提供。【解決手段】傾斜面を風上側に向けた状態で設置される雪庇発生防止装置において、上記傾斜面が下部傾斜板ｂと、その上方に連続した、それよりも急勾配の上部傾斜板ｄとからなる雪庇発生防止装置。【選択図】  図１
2004204633.tif 000002
【特許請求の範囲】
【請求項１】
傾斜面を風上側に向けた状態で設置される雪庇発生防止装置において、上記傾斜面が下部傾斜板と、その上方に連続した、それよりも急勾配の上部傾斜板とからなることを特徴とする雪庇発生防止装置。
【請求項２】
上記上部傾斜板を支持している上部傾斜板支持枠体が、上記下部傾斜板を支持している下部傾斜板支持枠体上に、交換可能にして取り付けられていることを特徴とする請求項１記載の雪庇発生防止装置。
【発明の詳細な説明】
【０００１】
【発明の属する技術分野】
本発明は、建造物の上縁部分に設置する雪庇発生防止装置に関する。
【０００２】
【従来の技術】
【０００３】
降雪地域では、降雪時に風があると、建造物風下側の上縁部分に屋上の積雪が迫り出してきて雪庇が発生する。この雪庇は、屋上を吹き越す風がその建造物の風下側で風速を落として下方に向かって巻き込む渦となり、運ばれてきた雪がその粘着性によって屋上の積雪に付着することにより発生するもので、それは徐々に風下に向かって成長してゆく。大きく成長した雪庇は、自重によって落下するので、通行人に危害を与えたり建造物に損害を与えることがある。
【０００４】
そのような雪庇による危害，損害を防止するための装置として、たとえば、本発明者らの提案した雪庇発生防止装置がある。
【０００５】
それは、図５に示すように、建造物屋上の風下側のパラペット１上に、断面直角三角形状の本体２を、垂直板３を該建造物の外側（風下側）に向け、傾斜板４を内側（風上側上方）に向けて、高さを調整して沿設するとともに、該本体２の頂部に雪切板５を垂直に起立固着させてなるものである。
この雪庇発生防止装置は、傾斜板４によって該建造物を吹き越す風の向きを上向きに変えるとともに、その風速を増加させることにより、建造物の風下側で発生する渦の位置をその壁面から遠くへ離し、雪庇の発生を防止するものである（特許文献１参照。）。
【０００６】
【特許文献１】
特許第２８８２９８８号公報
【０００７】
【発明が解決しようとする課題】
しかしながら、積雪が予め想定した量を超え、傾斜板４の全体が積雪６に埋まった場合には、垂直に起立した雪切板５が風を堰き止めることとなってしまい、風によって運ばれてきた雪が、雪切板５の風上側の領域７に徐々に溜まってゆく。
そして結局、屋上の積雪の上面８は雪切板５の頂部のところまで上昇することとなり、この雪切板５の高さの分だけ屋上の積雪量を増やし、建造物への雪荷重の負担を大きくすることとなっていた。
しかも、ほぼ水平となった積雪の上面８に沿って吹く風９は建造物の風下側で下方に巻き込まれ、渦を形成するので、雪庇１０が発生してしまう。
【０００８】
そこで、本発明は、積雪が予め想定した量を超えた時にも、雪庇を発生させない雪庇発生防止装置を提供することを目的とする。
【０００９】
【課題を解決するための手段】
【００１０】
請求項１記載の本発明雪庇発生防止装置は、傾斜面を風上側に向けた状態で設置される雪庇発生防止装置において、上記傾斜面が下部傾斜板ｂと、その上方に連続した、それよりも急勾配の上部傾斜板ｄとからなるものである。
【００１１】
請求項２記載の本発明は、上記上部傾斜板ｄを支持している上部傾斜板支持枠体ｃが、上記下部傾斜板ｂを支持している下部傾斜板支持枠体ａ上に、交換可能にして取り付けられている請求項１記載の雪庇発生防止装置である。
【００１２】
【発明の実施の形態】
以下、本発明に係る雪庇発生防止装置の一実施形態について図１〜４を参照し詳しく述べる。
【００１３】
ａは、断面台形の横長筒状でアルミ製の下部傾斜板支持枠体である。それは、外周縁にフランジ１１’を形成した台形状の側壁１１，１１を左右に立設するとともに、それらの間に、同じく外周縁にフランジ１２’を形成した台形状の補強板１２…を複数枚立設し、それら各板１１，１１，１２…の上記フランジ１１’…，１２’…に、折曲成形した外装板１３の、底板部１４と垂直板部１５と上板部１６を溶接、ビス、リベット等の固定手段で張架固定し、全一体化してなるものである。
【００１４】
上記底板部１４の前縁には起立部１７を折曲形成してあり、それを上記各板１１，１１，１２…の斜辺の上記フランジ１１’…，１２’…の下部に所要の固定手段で張架固定している。また、上記上板部１６の前縁には、垂下部１８を折曲形成してあり、それを上記各板１１，１１，１２…の斜辺の上記フランジ１１’…，１２’…の上部に、所要の固定手段で張架固定している。
これによって、該下部傾斜板支持枠体ａは、上記底板部１４前縁の起立部１７と上板部１６前縁の垂下部１８との間に横長方形の開口部１９を形成し、この開口部１９に上記各板１１，１１，１２…の斜辺のフランジ１１’…，１２’…を臨ませている。また、その各板１１，１１，１２…のフランジ１１’…，１２’…の位置には複数のビス挿通孔２０…を開設している。
【００１５】
また、上記補強板１２…には、ボルト挿通横長孔２１，２１を開設し、上記底板部１４の上記補強板１２…に対応する位置には芯板挿通孔２２…を開設している。
【００１６】
２３は、建造物の上縁部分であって、かつ、風下側のパラペット、２４…は、このパラペット上面に所要間隔をおいて植設されたアンカーボルトである。２５…は柱脚で、それは、長孔２６’，２６’を開設したベースプレート２６に、ボルト挿通縦長孔２７’，２７’を開設した芯板２７を設立してなるものである。
この柱脚２５…は、上記長孔２６’，２６’をアンカーボルト２４，２４に嵌合し、適宜位置の調整をして、ナット２８…を緊締することによってパラペット２３の上面に設立固定されている。
【００１７】
２９は笠木で、それは、上記柱脚２５…の芯板２７…を長孔３０…に挿通させて、上記パラペット２３の上面に笠木取付用ホルダー３１によって固定されている。
【００１８】
３２…は、上記笠木２９の長孔３０から突出させた上記芯板２７を、中央の窓孔３３に貫通させて、該笠木２９に乗載固定した柱脚カバーである。
この柱脚カバー３２は、その外周壁３４の下辺縁を内方に折曲成形して、下部外周に外周溝３５を形成している。この外周溝３５には、上記笠木２９との間に水が入り込まないようにシーリング材３６を充填している。また、芯板２７…を貫通させた上記窓孔３３の間隙にもシーリング材を充填してあり、柱脚カバー３２内部に水が入り込まないようになっている。
【００１９】
上記下部傾斜板支持枠体ａは、建造物の上縁部分に、すなわち、例えば上記パラペット２３上に、垂直板部１５を該建造物の外側（風下側）に向け、開口部１９を該建造物の内側（風上側上方）に向けて取り付けられる。
より詳しくは、上記下部傾斜板支持枠体ａは、あらかじめ組み立てられて、その芯板挿通孔２２…を上記柱脚２５…の芯板２７…に上方から嵌合させて下ろし、高さおよび長手方向に直交する水平方向の位置を、現場の状況に応じて一定範囲内で適宜調整し、その後、補強板１２…のボルト挿通横長孔２１，２１と、芯板２７…のボルト挿通縦長孔２７’，２７’とが交差する箇所に固定用ボルト３７，３７を挿通し、ナットを螺合緊締して取り付けられる。
【００２０】
ｂは、平坦面３８の一側に湾曲面３８’を連続させてなる下部傾斜板である。この下部傾斜板ｂの、上記下部傾斜板支持枠体ａのビス挿通孔２０…に対応する箇所にはビス挿通孔３９…を開設している。この下部傾斜板ｂは、上記ビス挿通孔２０…，３９…にビスを挿通することにより、上記下部傾斜板支持枠体ａに、それの開口部１９を塞いで、平坦面３８を風上側上方に向けて取り付けられ、傾斜状態で支持される。
【００２１】
その下部傾斜板ｂは、水平面より４５°〜６０°程度起立させるのが雪庇発生防止に最適である。
【００２２】
なお、下部傾斜板支持枠体ａの建造物の上縁部分（パラペット２３）への取付け作業は、上記のように、開口部１９をその建造物の内側に向けて行うことができ、その下部傾斜板支持枠体ａへの傾斜板ｂの取付けも屋上側から行えるので、建造物の外側に足場を組むことなく設置作業が安全に行え、また、設置工事費を削減することができる。
【００２３】
ｃは、断面直角三角形の横長筒状でアルミ製の上部傾斜板支持枠体で、それは直角三角形の左右の側壁４０，４０を左右に立設するとともに、その各辺に、折曲成形した外装板４１の底板部４２と、垂直板部４３と、垂下板部４４とを溶接、ビス、リベット等の固定手段で張架固定し、全一体化してなるものである。
上記垂下板部４４は上記垂直板部４３の上縁から上記側壁４０，４０の斜辺の途中まで垂下していて、その下側には横長方形の開口部４５が形成されている。また、上記底板部４２と垂下板部４４の所要位置にはビス挿通孔４６…を開設してある。
【００２４】
この上部傾斜板支持枠体ｃは、上記底板部４２を上記下部傾斜板支持枠体ａの上板部１６に重合させて、該下部傾斜板支持枠体ａに乗載され、そこに所要の取付手段によって交換可能にして取り付けられている。それは、たとえば該上部傾斜板支持枠体ｃの底板部４２のビス挿通孔４６…と、下部傾斜板支持枠体ａの上板部１６の上記ビス挿通孔２０…とにビスを挿通し、螺合緊締することなどによって取り付けることができるが、他の適宜手段により取り付けてもよい。
その取付け作業は、上記開口部４５から手を差し込んで容易に行うことができる。
【００２５】
ｄは、上記上部傾斜板支持枠体ｃの開口部４５を塞ぐ所要の寸法にした上部傾斜板で、その下縁には折曲部を介して裾部ｄ’を連続させている。その上部傾斜板ｄは、上縁部と裾部ｄ’にビス挿通孔４７…を開設している。
【００２６】
この上部傾斜板ｄは、その上縁部を上記上部傾斜板支持枠体ｃの開口部４５から挿入し、上記垂下板部４４に重合して、互いのビス挿通孔４７…，４６…にビスを挿通し緊締するとともに、上記裾部ｄ’を上記下部傾斜板支持枠体ａの垂下部１８に重合し、互いのビス挿通孔４７…，２０…にビスを挿通し緊締することにより、上部傾斜板支持枠体ｃに、その開口部４６を塞いで取り付けられ、上記下部傾斜板ｂの上方に傾斜面を連続させた状態で支持される。
【００２７】
上記上部傾斜板ｄは、水平面より７５°〜８０°程度起立した傾斜状態で支持されていて、上記下部傾斜板ｂよりも急勾配になっている。
これにより、下部傾斜板ｂとこれに連続した上部傾斜板ｄは全体として、上部を下部よりも急勾配にした屈曲面を形成している。
【００２８】
上記の通り本発明雪庇発生防止装置は、傾斜面を風上側に向けた状態で設置され、しかも、その傾斜面は下部傾斜板ｂと、その上方に連続した、それよりも急勾配の上部傾斜板ｄとからなるので、下部傾斜板ｂが風を上部傾斜板ｄに誘導するとともに、上部傾斜板ｄが下部傾斜板ｂから誘導された風をスムーズに上方に向け、かつその風速を速め、建造物の風下で発生する渦の位置を壁面から離し、これによって、雪庇の発生を防ぐことができる。
また、上部傾斜板ｄを水平面より７５°〜８０°程度起立させて傾斜状態にしているから、積雪が予め想定した量を超えて、下部傾斜板ｂが積雪で埋まった場合でも、風を堰き止めることなく上方に誘導する。
したがってスムーズに風速を増加させて、建造物の風下で発生する渦を壁面から離すので雪庇を発生させない。
【００２９】
なお、上部傾斜板ｄを支持している上部傾斜板支持枠体ｃは、下部傾斜板支持枠体ａ上に交換可能にして取り付けられているので、下部傾斜板支持枠体ａおよび下部傾斜板ｂを一定の寸法のものに製作しておき、上部傾斜板支持枠体ｃおよび上部傾斜板ｄを適宜の大きさのものに交換することにより、設置場所の気象状況や屋根の形状，面積等に応じて全体の高さを簡単に調整できる。
すなわち、設置場所にかかわらず、一定の高さに製作しておいた下部傾斜板支持枠体ａおよび下部傾斜板ｂを使用できるので装置の製作費用が低減される。
【００３０】
また、設置後の気象状況の変化により屋上の積雪が想定した量を超えるおそれがある場合等にもその上部傾斜板支持枠体ｃおよび上部傾斜板ｄを、より高さの高いものに交換するだけで雪庇発生を防止することができ、下部傾斜板支持枠体ａおよび下部傾斜板ｂの交換の必要がないので経済的である。
【００３１】
上記雪庇発生防止装置の複数台を、長手方向に列設配置する場合には、図４に示すように、互いに隣り合う下部傾斜板支持枠体ａの、対向する側壁１１同士をたとえばボルト４８…およびナットで緊締して接続する。上記下部傾斜板支持枠体ａは、内部に補強板１２…を配設しているので十分な強度を持っているが、長手方向に連続して接続することにより、全体としてさらに強度を上げることができる。
【００３２】
【発明の効果】
以上述べたところから明らかなように、請求項１記載の本発明雪庇発生防止装置によれば次の効果を奏する。
【００３３】
傾斜面を風上側に向けた状態で設置される雪庇発生防止装置において、上記傾斜面が下部傾斜板と、その上方に連続した、それよりも急勾配の上部傾斜板とからなるので、下部傾斜板が上部傾斜板に風を導くとともに、上部傾斜板が下部傾斜板から誘導された風をスムーズに上方に向け、その風速を速め、これによって建造物の風下で発生する渦の位置を壁面から離す。
【００３４】
したがって、建造物の風下側に発生する渦の位置を壁面から遠くに離し、確実に雪庇発生を防止することができる。
また、上部傾斜板ｄを傾斜状態としているから、下部傾斜板が積雪で埋まった場合でも、風を遮ることなく上方に誘導し風速を増加させて風の流れを建造物の壁面から離すので雪庇の発生を防止できる。
【００３５】
請求項２記載の本発明雪庇発生防止装置によれば、上記上部傾斜板を支持している上部傾斜板支持枠体が、上記下部傾斜板を支持している下部傾斜板支持枠体上に、交換可能にして取り付けられているので、下部傾斜板支持枠体および下部傾斜板を一定の寸法のものに製作しておき、上部傾斜板支持枠体および上部傾斜板を適宜の大きさのものに交換することにより、設置場所の気象状況や屋根の形状，面積等に応じて全体の高さを簡単に調整できる。
【００３６】
すなわち、設置場所にかかわらず、一定の高さに製作しておいた下部傾斜板支持枠体および下部傾斜板を使用できるので装置の製作費用が低減される。
さらに、設置後の気象状況の変化により屋上の積雪が想定した量を超えるおそれがある場合等にも下部傾斜板支持枠体および下部傾斜板の交換の必要がないので経済的である。
【図面の簡単な説明】
【図１】本発明の一実施形態に係る雪庇発生防止装置の斜視図である。
【図２】同上のＩ−Ｉ線拡大断面図である。
【図３】同上の分解斜視図である。
【図４】上記雪庇発生防止装置を長手方向に列設配置した状態を示した斜視図である。
【図５】従来の雪庇発生防止装置の断面図である。
【符号の説明】
ａ    下部傾斜板支持枠体
ｂ    下部傾斜板
ｃ    上部傾斜板支持枠体
ｄ    上部傾斜板
【図１】
2004204633.tif 000003
【図２】
2004204633.tif 000004
【図３】
2004204633.tif 000005
【図４】
2004204633.tif 000006
【図５】
2004204633.tif 000007